(57)【要約】【課題】通信相手機器に搭載されるアンテナの様々なサイズに対応し、かつアンテナ間の位置ずれによる影響を受けにくいアンテナおよび通信装置を提供する。【解決手段】ループの中心から最も離れる少なくとも２つ以上の最外部（Ａ部）と、最外部よりも内側に入り込んだ少なくとも２つ以上の内側部（Ｂ部）と、を備え、複数の最外部のうち少なくとも１対の最外部は対向し、複数の内側部のうち少なくとも１対の内側部は対向し、１対の最外部の長さの和は、１対の内側部の長さの和以上である。【選択図】図１
2015005941.tif 000002
【特許請求の範囲】
【請求項１】
ループ状のアンテナであって、
前記アンテナのの中心から最も離れる少なくとも２つの第１の磁界発生部と、
複数の前記第１の磁界発生部の間に接続された少なくとも２つの第２の磁界発生部と、を備え、
前記複数の第１の磁界発生部のうち少なくとも１対の第１の磁界発生部は対向し、
前記複数の第２の磁界発生部のうち少なくとも１対の第２の磁界発生部は対向し、
前記１対の第１の磁界発生部間の距離は、前記１対の第２の磁界発生部間の距離よりも長く、
前記１対の第１の磁界発生部の長さの和は、前記１対の第２の磁界発生部の長さの和以上であることを特徴とするアンテナ。
【請求項２】
前記１対の第１の磁界発生部は、略同一形状であることを特徴とする請求項１に記載のアンテナ。
【請求項３】
前記１対の第１の磁界発生部は、略平行であることを特徴とする請求項２に記載のアンテナ。
【請求項４】
前記一対の第２の磁界発生部は、略同一形状であることを特徴とする請求項１〜３のいずれかひとつに記載のアンテナ。
【請求項５】
前記一対の第２の磁界発生部は、略平行であることを特徴とする請求項４に記載のアンテナ。
【請求項６】
前記複数の第１の磁界発生部すべては、略同一形状であることを特徴とする請求項２または３のいずれかに記載のアンテナ。
【請求項７】
前記複数の第２の磁界発生部すべては、略同一形状であることを特徴とする請求項４または５のいずれかに記載のアンテナ。
【請求項８】
前記一対の第１の磁界発生部と、前記１対の第２の磁界発生部と、は、略平行であることを特徴とする請求項１〜７のいずれかひとつに記載のアンテナ。
【請求項９】
更に、前記第１の磁界発生部と前記第２の磁界発生部との間を接続する連結部を備えることを特徴とする請求項１〜８のいずれかひとつに記載のアンテナ。
【請求項１０】
前記１対の第１の磁界発生部及び前記１対の第２の磁界発生部は直線状であり、前記第１の磁界発生部の長さは、前記１対の第２の磁界発生部間の距離よりも長いことを特徴とする請求項１〜９のいずれかひとつに記載のアンテナ。
【発明の詳細な説明】
【技術分野】
【０００１】
本発明は、ＲＦ−ＩＤやＮＦＣなどのＩＣカードやＩＣタグ、リーダライタなどの無線通信媒体との通信を行うアンテナおよび通信装置に関するものである。
【背景技術】
【０００２】
従来のループ状のＲＦ−ＩＤやＮＦＣなどのアンテナは、一般的に長方形や正方形にコイルが巻回されている（例えば特許文献１参照）。すなわち、これらのアンテナは携帯型の端末や電子機器、ＩＣカードに搭載されるため、端末や電子機器の長方形または正方形などの筐体の形状に合わせてアンテナの開口面積を最大にしている。これは、ループ状アンテナの開口面積を大きくすることで、通信特性を向上させることができるからである。
【０００３】
このアンテナが磁界を発生させるリーダ／ライタ側として機能する場合において、通信相手となる電子機器は、一般的に非接触ＩＣカードや、同じくＮＦＣの機能を搭載した電子機器となる。２つの電子機器間の通信距離Ｚは、ＮＦＣ通信の特性からして、０ｍｍから数ｍｍ程度の範囲での安定した通信が求められる。
【０００４】
この時、通信相手となるＩＣカードや電子機器に搭載されるアンテナのサイズはＩＳＯで規格化されており、正確な寸法は、ＩＳＯ／ＩＥＣ  １４４４３−１に記載されているものの、サイズはクレジットカードサイズ以下の大、中、小様々な形状が考えられる。そして、ＮＦＣ用アンテナ、その中でも特にリーダライタ側のアンテナには、通信相手となるアンテナのサイズが大、中、小のいずれであっても効率的な通信を可能とすることが求められている。これは、リーダライタと比較して、通信相手となるＩＣカードや電子機器は様々なサイズをとるため、それに伴いアンテナのサイズも変化するからである。更に、通信時に対向し合うアンテナどうしの位置が多少ずれたとしても、安定して通信を行うことが求められている。
【先行技術文献】
【特許文献】
【０００５】
【特許文献１】特許第４６４５６９８号公報
【発明の概要】
【発明が解決しようとする課題】
【０００６】
しかしながら、（特許文献１）に記載の技術では、単純な矩形形状のアンテナであるため、通信相手のアンテナが同程度サイズである場合には結合係数が極めて高くなり、通信相手のアンテナが大きく異なるサイズである場合には結合係数が小さくなる。更に、アンテナ間の位置ずれによって、アンテナ間の結合係数が大きく変動してしまう。なお、後で詳細に説明するが、ＮＦＣ通信を良好かつ安定して行うためには、アンテナ間の結合係数を所定範囲内に安定して収めることが必要となる。
【０００７】
これらの結果、従来技術では、通信相手のアンテナサイズや位置ずれによってアンテナ間の結合係数が変動してしまうため、通信特性を安定して良好に保つことが困難であった。すなわち、従来技術のアンテナでは、通信相手のアンテナとして様々なサイズに対応することも、アンテナ間の位置ずれに対応することも、困難であった。
【０００８】
そこで本発明は、通通信相手のアンテナサイズの変化やアンテナ間の位置ずれによってアンテナ間の結合係数が大きく変動することを抑え、通信相手機器に搭載されるアンテナであって特に長方形のアンテナの様々なサイズに良好に対応し、かつアンテナ間の位置ずれによる影響を受けにくいアンテナおよび通信装置を提供することを目的とする。
【課題を解決するための手段】
【０００９】
本発明は、ループ状のアンテナであって、前記ループの中心から最も離れる少なくとも２つ以上の最外部と、複数の前記最外部の間に接続され、前記最外部及び前記最外部の延長線により囲まれる領域において、前記最外部よりも内側に入り込んだ少なくとも２つ以上の内側部と、を備え、前記複数の最外部のうち少なくとも１対の最外部は対向し、前記複数の内側部のうち少なくとも１対の内側部は対向し、前記１対の最外部の長さの和は、前記１対の内側部の長さの和以上であることを特徴とするアンテナとした。
【発明の効果】
【００１０】
本発明によれば、通信相手のアンテナサイズの変化やアンテナ間の位置ずれによってアンテナ間の結合係数が大きく変動することを抑え、通信相手機器に搭載されるアンテナの様々なサイズに対応し、かつアンテナ間の位置ずれによる影響を受けにくいアンテナおよび通信装置を提供することができる。
【図面の簡単な説明】
【００１１】
【図１】本願発明のアンテナを示す上面図
【図２】従来のリーダ／ライタ側アンテナによるＮＦＣ通信を示す図
【図３】一般的なリーダ／ライタ装置またはＩＣカードの通信システムのブロック図
【図４】一般的なアンテナ間における結合係数とＮＦＣコントローラ側から見た共振回路の入力インピーダンスを示す図
【図５】一般的なアンテナ間における結合係数とＩＣカード側アンテナに誘起された電圧との関係を示す図
【図６】リーダ／ライタ側アンテナとＩＣカード側アンテナとの位置関係を示す図
【図７】従来のリーダ／ライタ側アンテナがリーダ／ライタ電子機器に搭載された様子を示す図
【図８】図７に示す従来のリーダ／ライタ側アンテナの上面図
【図９】リーダ／ライタ側アンテナから発生される磁束の様子を示す図
【図１０】図９の横軸０〜４０までのリーダ／ライタ側アンテナから送信時に発生されるリーダ／ライタ側アンテナ上の磁束の様子を示す図
【図１１】図１０における磁界強度分布の比率を示す図
【図１２】図９の横軸０〜４０までのリーダ／ライタ側アンテナから発生されるリーダ／ライタ側アンテナ上５ｍｍにおける磁束の様子を示す図
【図１３】図１２における磁界強度分布の比率を示す図
【図１４】本願発明のアンテナの通信特性を示す図
【図１５】従来のリーダ／ライタ側アンテナの通信特性を示す図
【図１６】本願発明のアンテナの他の形状を示す上面模式図
【発明を実施するための形態】
【００１２】
本発明は、ループ状のアンテナであって、前記ループの中心から最も離れる少なくとも２つ以上の最外部と、複数の前記最外部の間に接続され、前記最外部及び前記最外部の延長線により囲まれる領域において、前記最外部よりも内側に入り込んだ少なくとも２つ以上の内側部と、を備え、前記複数の最外部のうち少なくとも１対の最外部は対向し、前記複数の内側部のうち少なくとも１対の内側部は対向し、前記１対の最外部の長さの和は、前記１対の内側部の長さの和以上であることを特徴とするアンテナであって、通信相手のアンテナサイズの変化やアンテナ間の位置ずれによってアンテナ間の結合係数が大きく変動することを抑え、通信相手機器に搭載されるアンテナの様々なサイズに対応し、かつアンテナ間の位置ずれによる影響を受けにくくすることができる。
【００１３】
（実施の形態）
以下、図面を用いて本願発明を説明する。なお、本実施の形態においては本願発明のアンテナをＮＦＣ通信のリーダ／ライタ装置に搭載されるアンテナとして説明するが、これに限られない。すなわち、通信相手であるＩＣカード側などであってもよい。また、非接触通信回路とアンテナコイルを用いた非接触通信機能を備えた装置であれば、例えば、ＲＦＩＤタグ、携帯端末（例えば、携帯型音楽／映像プレーヤ、携帯型ゲーム機、ＩＣレコーダ、ＰＤＡ）、ゲーム機、撮像装置（例えば、デジタルカメラ、デジタルビデオカメラ）、電子財布、パーソナルコンピュータなど、任意の電子機器に適用できる。
【００１４】
図１は、本願発明のアンテナを示す上面図である。
【００１５】
本願発明のアンテナ１はループ状のアンテナコイル２と磁性シート３とを備える。アンテナコイル２は導体が略十字架形状に巻回され、フレキシブルプリント基板などの基材に印刷される。
【００１６】
ループ状のアンテナコイル２の形状は、ループの中心から最も離れる少なくとも２つ以上の第１の磁界発生部である最外部（例えばＡ部）と、複数の最外部の間で接続され、最外部及び最外部の延長線により囲まれる領域（図１では４６ｍｍ×４６ｍｍの正方形）において、最外部よりも内側に入り込んだ少なくとも２つ以上の第２の磁界発生部である内側部（例えばＢ部）と、を備え、複数の最外部のうち少なくとも１対の最外部（例えばＡ部とＡ´部）は対向し、複数の内側部のうち少なくとも１対の内側部（例えばＢ部とＢ´部）は対向し、１対の最外部の長さの和（図１では２２ｍｍ×２＝４４ｍｍ）は、１対の内側部の長さの和（図１では７．９６ｍｍ×２＝１５．９２ｍｍ）以上である。１対の最外部の長さの和（図１では２２ｍｍ×２＝４４ｍｍ）は、１対の内側部の長さの和よりも長いことが好ましい。なお、最外部と内側部とは、それぞれ直線もしくは略直線である。すなわち、必ずしも一本の直線である必要はなく、略直線すなわち図１の最外部のように複数の直線から構成されてもよいし、緩やかな曲線を描いてもよい。最外部と内側部との境界線が角であると好ましい。このとき、最外部を構成する複数の直線との間の角度は、１５０度〜１８０度程度であり、曲線の場合はこの角度程度の曲線である。なお、ここで言う対向するとは、最外部及び／または内側部が直線である場合、最外部どうし及び／または内側部どうしが平行または±４５度以内の関係であることを言う。また、最外部及び／または内側部が曲線である場合、最外部の接線どうし及び／または内側部の接線が平行または±４５度以内の関係であることを言う。１対の最外部及び１対の内側部は直線状であり、外側部の長さは、１対の内側部間の距離よりも長い。
【００１７】
１対の最外部及び１対の内側部は、それぞれ略同一形状（同一形状であってもよい）である。端子の影響や外部部品の影響、巻線の段数により多少形状が異なることはあるが、その７０％以上が略同一形状であることが好ましい。更に、１対の最外部及び１対の内側部は、それぞれ略平行（平行であってもよい）である。１対の最外部及び１対の内側部が必ずしも同一形状であるわけではないが、形状の微差を無視した場合、平行または略平行に近い形状である。このように構成することで、通信特性のバランスがとれる。なお、ここで言う平行するとは、最外部及び／または内側部が直線である場合、最外部どうし及び／または内側部どうしが平行または±１５度以内の関係であることを言う。また、最外部及び／または内側部が曲線である場合、最外部の接線どうし及び／または内側部の接線が平行または±１５度以内の関係であることを言う。
【００１８】
また、それぞれ複数存在する最外部すべて及び内側部すべては、略同一形状である。これにより、さらにアンテナコイル２の通信特性のバランスが良好となる。
【００１９】
また、一対の最外部と、１対の内側部と、は、略平行である。これにより、通信相手のアンテナの位置ずれによる悪影響が抑制され、更に様々なサイズのアンテナ（特に長方形や正方形の形状）に対応することができる。
【００２０】
更に、最外部と内側部との間を接続する連結部を備えても良い。すなわち、最外部と内側部とは直接接続している必要はない。これにより、本願発明のアンテナ１の配置に合わせて様々な形状を取ることができる。
【００２１】
アンテナコイル２の材質としては、金、銀、銅、アルミニウム、ニッケル等の導電性金属であり、それらの線材、板材、箔材等から適宜選択することができる。基材上へのアンテナパターンは、金属線、金属箔、導電性ペースト、めっき転写、スパッタ、蒸着、もしくは、スクリーン印刷によって形成することができる。
【００２２】
また、基材は、ポリイミド、ＰＥＴ、ガラエポ等の基板材で形成することが可能である。基材をポリイミド、ＰＥＴ等のフィルム材にて形成すれば、薄くて柔軟性を有するアンテナコイル２を形成することができる。
【００２３】
もちろん、アンテナコイル２は印刷による巻回だけでなく、導線を略十字架形状に巻回して形成しても良い。
【００２４】
本願発明のアンテナ１には整合回路が接続される。整合回路には、整合素子（チップコンデンサやチップインダクタ）がアンテナコイル２の各電極を例えば橋渡しする形で実装され、その個数を変えてインピーダンスの整合が図れ、また、その値を変えて共振周波数の調整が行える。
【００２５】
このアンテナコイル２は、近くに存在する金属体から大きな影響を受ける。すなわち、アンテナコイル２が通信を行うために磁束を発生させると、金属体にはアンテナコイル２の磁束を弱める方向に渦電流が発生し、渦電流によって発生する磁束とアンテナコイル２による磁束とが打ち消しあってしまう。この結果、アンテナコイル２の通信特性が極めて下がってしまう。しかし、アンテナコイル２の周囲には、例えばリーダ／ライタ装置の筐体内に搭載される金属電子部品、ＩＣカードであってもＩＣカードの周囲にある金属体などが存在する可能性がある。従って、アンテナコイル２の発生させる磁束が金属体に及ばないようにする必要がある。
【００２６】
従って、本願発明のアンテナ１は磁性シート３を備える。磁性シート３は、フェライト系磁性体を主成分とする磁性材で構成され、それを厚さ０．０１ｍｍ〜１ｍｍ程度のシート状（あるいは板状、膜状、層状）に形成し、その平面形状を基材の平面形状とほぼ同じ形態にしたものである。ここで、磁性材小片の集合体構成とするときは、磁性シート３総厚に対して磁性体を効率よくシート状に形成できる。また、磁性シート３に要求される厚み寸法や、機械的強度、その他の物理的性能の範囲において磁性体の最大限の体積を利用することができ、高い磁気性能を得ることができる。アンテナコイル２が発生させた磁束は、磁性シート３に集中して通り、磁性シート３の裏側にもれにくくなる。この結果、アンテナコイル２と金属体との間に磁性シート３を配置することで、アンテナコイル２が金属体の影響を受けにくくなる。更に、アンテナコイル２の磁束は磁性シート３とは反対方向（通信方向）に強められ、通信特性を向上させることができる。
【００２７】
磁性シート３は、たとえば単層構成、多層構成、磁性材小片の集合体構成の何れかなどであるが、両面が保護部材（絶縁材）によってコーティングされている。
【００２８】
また、磁性シート３の磁性材としては、フェライトやパーマロイ、センダスト、珪素合板等を用いることができる。その中でも、軟磁性フェライトが好ましい。また、アモルファス合金やアモルファス箔、パーマロイ、電磁鋼、珪素鉄、Ｆｅ−Ａｌ合金、センダスト合金のいずれかの磁性体を単独で用いても良く、または、様々な磁性体を組み合わせて用いても良い。
【００２９】
本実施の形態では、磁性シート３の柔軟性や加工性を確保するため、磁性シート３の一方側から例えばローラを押し当てて相対移動させることで、磁性シート３を規則的もしくは非規則的に粉砕してもよい。これによれば、磁性シート３に柔軟性を与えることができ、磁性シート３の加工性が良くなる。また、磁性シート３の形状は長方形または正方形であることが多く、その角部が曲線であることもある。
【００３０】
次に、通信を行うアンテナ間の結合係数に関し、従来技術では安定した通信が困難であった理由を説明する。
【００３１】
図２は、従来のリーダ／ライタ側アンテナによるＮＦＣ通信を示す図である。図３は、一般的なリーダ／ライタ装置またはＩＣカードの通信システムのブロック図である。本願発明では、リーダ／ライタを構成する際、従来のリーダ／ライタ側アンテナ１１の代わりに、本願発明のアンテナ１が用いられることは言うまでもない。
【００３２】
図４は、一般的なアンテナ間における結合係数とＮＦＣコントローラ側から見た共振回路の入力インピーダンスを示す図である。図５は、一般的なアンテナ間における結合係数とＩＣカード側アンテナに誘起された電圧との関係を示す図である。なお、図５におけるＩＣ出力制限後の誘起電圧とは、前述したようにＩＣの出力電流がある一定値（この場合０．１Ａ）に制限されるため、結合係数が増加するとともに入力インピーダンスＺｉｎが低下し、その結果出力電圧が下がっていくことを示す。
【００３３】
図２では、従来のリーダ／ライタ側アンテナ１１及びＩＣカード側アンテナ１２とで非接触通信を行っている。一般的に、従来のリーダ／ライタ側アンテナ１１とＩＣカード側アンテナ１２とも長方形にコイルが巻回されている。これは先述したように、一般的にループアンテナの通信特性を向上させるためにはアンテナの開口部を大きく形成するほうがよいこと、一般的に長方形であることが多い筐体内やカード内という限られた空間の中では、アンテナを長方形（正方形）に形成することで大きな開口とすることができること、という理由によるものである。すなわち、従来のリーダ／ライタ側アンテナ１１も、ＩＣカード側アンテナ１２も略同様の形状をしているため、辺と辺とが重なりやすくなる。図２では、縦方向の２辺どうしが近い距離で平行に並んでいるため、この辺によってアンテナ間の結合係数が高くなる。
【００３４】
ここで問題となるのが、図３のような通信システム（特にリーダ／ライタ側）においては、図４に示されるとおり、アンテナ間の結合係数が変動すると、ＮＦＣコントローラ１４（ＩＣ）側からみた共振回路１３の入力インピーダンスＺｉｎも大きく変動することである。特に、アンテナ間距離が近づくと、結合係数が大きくなって入力インピーダンスが非常に下がることが分かる。
【００３５】
一般的にＮＦＣコントローラ１４の送信出力は電圧出力であり、且つ、最大出力電流に上限（例えば０．１Ａ）がある。その結果、図４に示すように、入力インピーダンスＺｉｎが大幅に減少した場合は、ＮＦＣコントローラ１４の電圧出力が下がり、従来のリーダ／ライタ側アンテナ１１への電力供給が低下する。従って、必然的にＩＣカード側アンテナ１２への電力供給が減少し、アンテナ間の誘起電圧が低下し、ＩＣカードが動作できなくなる可能性がある。
【００３６】
一方で、アンテナ間の結合係数が低下しすぎた場合においても、従来のリーダ／ライタ側アンテナ１１からＩＣカード側アンテナ１２への電力供給は減少し、誘起電圧が低下し、非接触ＩＣカードが動作できなくなる。
【００３７】
以上の結果から、アンテナ間の結合係数を所定範囲内におさめなくては、良好な通信を行うことが困難となる。好ましい結合係数の範囲については、後述する。
【００３８】
ここで、従来のリーダ／ライタ側アンテナ１１とＩＣカード側アンテナ１２との位置関係と結合係数との関係について、説明する。
【００３９】
図６は、リーダ／ライタ側アンテナとＩＣカード側アンテナとの位置関係を示す図である。図６（ａ）は、従来のリーダ／ライタ側アンテナ１１がＩＣカード側アンテナ１２よりも小さい場合、図６（ｂ）は、従来のリーダ／ライタ側アンテナ１１がＩＣカード側アンテナ１２よりも大きい場合を示す。図示していないが、従来のリーダ／ライタ側アンテナ１１とＩＣカード側アンテナ１２とは同程度の大きさの場合もある。
【００４０】
図６（ａ）の場合、アンテナどうしがうまく位置合わせすると、上下に伸びる左右の辺どうしが近づき、強結合（結合係数が大）となる。位置合わせがずれると、ずれ具合にもよるが、一部強結合となる可能性があるし、結合係数がかなり低下する可能性もある。
【００４１】
また、図６（ｂ）の場合、アンテナどうしがうまく位置合わせすると、一部だけが強結合になることはなく、少なくとも結合係数が極めて高くなることはない。しかし、位置合わせがずれることで、強結合となる部分が現れる。
【００４２】
さらに、従来のリーダ／ライタ側アンテナ１１とＩＣカード側アンテナ１２とは同程度の大きさの場合は位置合わせが上手くいくことで結合係数が極めて高くなり、縦方向、横方向の両方向において位置合わせがずれなければ強結合を抑えることができない。
【００４３】
このように、一般的に長方形の形状であることが多いＩＣカード側アンテナ１２に対して、従来のリーダ／ライタ側アンテナ１１も長方形に巻回すると、様々なサイズのＩＣカード側アンテナ１２に対して結合係数を所望の範囲内に収めることが難しく、かつアンテナ間の位置ずれにより結合係数が大きく変動することが分かる。
【００４４】
このような課題を解決するため、本願発明のアンテナ１は、１対の最外部の長さの和は、１対の内側部の長さの和よりも長い。これにより、ＩＣカード側アンテナ１２がアンテナ小である場合に、本願発明のアンテナ１とＩＣカード側アンテナ１２とが重なる領域を小さくすることができる。また、それと同時に、ＩＣカード側アンテナ１２がアンテナ大である場合に、本願発明のアンテナ１とＩＣカード側アンテナ１２とが重なる領域を所望の範囲とすることができる。また、アンテナのそれぞれの中心の間の位置合わせが上手くいかないときも、内側部と最外部とを備えることによって通信良好とすることができる。
【００４５】
更に詳細に説明すると、図４、図５から、２つの電子機器間の通信距離Ｚが、０ｍｍから５ｍｍの範囲において、且、実用上問題のない読み取り範囲内において適切な電力供給を、本願発明のアンテナ１から、ＩＣカード側アンテナ１２に行うには、以下の範囲が好ましいことが分かる。すなわち、ＩＣカード側アンテナ１２の開口面積が大きい場合、結合係数が、約０．０８〜０．３２、中程度の場合、結合係数が、約０．０６〜０．３５、小さい場合、結合係数が、約０．０５〜０．２１の範囲を取るようにしなくてはならない。なお、本願発明のアンテナ１とＩＣカード側アンテナ１２とのアンテナ中心が最大５ｍｍ程度ずれたとしても、結合係数が上記範囲内になる必要がある。
【００４６】
ここでいうアンテナ大とは、外形が８０ｍｍ×４０ｍｍ程度の長方形ループアンテナ、アンテナ中とは、外形が４０ｍｍ×３０ｍｍ程度の長方形ループアンテナ、アンテナ小とは、外形が２５ｍｍ×２０ｍｍ程度の長方形ループアンテナのことをいい、ＩＣカード側アンテナ１２は一般的にこの程度の大きさのものが多い。図１の通り、アンテナコイル２の対向する一対の最外部（Ａ部）の外端間距離は４６ｍｍであり、アンテナ大の短辺の外端間距離と同程度である。
【００４７】
また、ＮＦＣコントローラ１４の出力は、図５において、３〜４Ｖ（ＩＣカード側アンテナ１２のサイズに依る）を越えていることを基準とする。この出力電圧が閾値を越えなければ、十分な誘起電圧が発生せず、ＩＣカード側アンテナ１２が駆動されない。
【００４８】
これらの結果、アンテナ間の結合係数は、ＩＣカード側アンテナ１２のサイズに応じて前述した範囲内となることが好ましいことが分かる。そして、アンテナの開口面積のサイズそれぞれに対して上記結合係数範囲内に収まるような、全サイズに対応できる本願発明のアンテナ１とすることが必要となる。
【００４９】
次に、ＩＣカード側アンテナ１２が発生させる磁界について説明する。図７は、リーダ／ライタ側アンテナがリーダ／ライタ電子機器に搭載された様子を示す図である。図８は、図７に示すリーダ／ライタ側アンテナの上面図である。図９は、リーダ／ライタ側アンテナから発生される磁束の様子を示す図である。図９の横軸は、図８のＸ軸上を表す。このとき、リーダ／ライタ側アンテナは、説明を分かりやすくするために従来のリーダ／ライタ側アンテナ１１のような矩形の形状をしている。本図は一般的にアンテナコイルからどのような分布で磁束が発生されるかを説明するため、図１のような本願発明のアンテナ１であっても、同じ結果を得る。
【００５０】
本願発明のアンテナ１がリーダ／ライタ装置に搭載されると、一般的に筐体内にはフレームや基板や電子部品などの金属体も存在する。この金属体は渦電流などによって本願発明のアンテナ１の特性を劣化させる。従って、本実施の形態においては、図７のように金属板２０が本願発明のアンテナ１の近くに位置することを前提としている。
【００５１】
図７では、従来のリーダ／ライタ側アンテナ１１は、アンテナコイル１１２が磁性シート１１３上に載置され、金属板２０の上に従来のリーダ／ライタ側アンテナ１１が載置されている。この状態で従来のリーダ／ライタ側アンテナ１１が通信を行うと、図９に示すような磁界を形成する。
【００５２】
図１０は、図９の横軸０〜４０までのリーダ／ライタ側アンテナから送信時に発生されるリーダ／ライタ側アンテナ上の磁束の様子を示す図である。ここでいうリーダ／ライタ側アンテナ上の磁束の様子は、従来のリーダ／ライタ側アンテナ１１の形状に基づくものであるが、アンテナコイルから発生する磁束の様子であるので、アンテナの形状に依らず本願発明のアンテナ１のアンテナコイル２から発生する磁束の様子と定性的に略等価である。図１１は、図１０における磁界強度分布の比率を示す図である。すなわち、図１０において、横軸２１と２２の間のあたりで磁界強度の向き（プラスマイナス）が変わっている（ゼロクロスの位置）。そして、横軸２１における磁界強度は全体の磁界強度の９％である。従って、図１０、図１１においても横軸２１の地点では９％を示す。次に、図１０から、横軸２０においては、横軸２０における磁界強度は全体の磁界強度の２１．５％である。従って、図１１においては横軸２０の地点では９％＋２１．５％＝３０．５％を示す。このように、ゼロクロスの位置から外側に向かって各地点での磁界強度を足していき、最外において１００％になるようにしている。この結果、図１１における横軸１５の地点の値を見ると、横軸１５の地点からゼロクロスの位置までに発生している磁界の強度が、全体の磁界の強度のうちどの程度を占めているのかがわかる。
【００５３】
また、図１２は、図９の横軸０〜４０までのリーダ／ライタ側アンテナから発生されるリーダ／ライタ側アンテナ上５ｍｍにおける磁束の様子を示す図である。図１３は、図１２における磁界強度分布の比率を示す図である。すなわち、図１０、図１１はリーダ／ライタ側アンテナ上（０ｍｍ）における磁束の様子を示し、図１２、図１３はリーダ／ライタ側アンテナから上方に５ｍｍ離れた地点における磁束の様子を示している。
【００５４】
なお、図１０〜図１３の横軸の０は、図７記載の従来のリーダ／ライタ側アンテナ１１の中心を表し、横軸は図８のＸ軸上を通って、横軸が大きくなるほど図７記載の従来のリーダ／ライタ側アンテナ１１の外側を表す。すなわち本実施の形態においては、アンテナコイル２の外周幅が４６ｍｍであるため、図１０〜図１３の横軸２３がアンテナコイル２の外端部を表す。また、磁性シート１１３の一辺の長さが４８ｍｍであるため、図１０〜図１３の横軸２４が磁性シート１１３の端部を表す。
【００５５】
図１０〜図１３から、以下のことがわかる。
【００５６】
図１１の領域（１）から、リーダ／ライタ側アンテナ１１上（表面）では、およそ磁性シート１１３から外側に２ｍｍ（左右それぞれの外側に１ｍｍずつ）の領域にて、発生磁束の約９０％は相殺される。すなわち、横軸２４から１ｍｍ外側の横軸２５において、図１１では−９０％を示している。ここで言う相殺とは、従来のリーダ／ライタ側アンテナ１１からＩＣカード側アンテナ１２へ向かう向きの磁束と、ＩＣカード側アンテナ１２から従来のリーダ／ライタ側アンテナ１１へ向かう向きの磁束と、の双方がＩＣカード側アンテナ１２を貫き、双方向の磁束それぞれがお互いに打ち消しあってしまうことをいう。従って、磁束どうしが打ち消しあってしまうと、ＩＣカード側アンテナ１２に誘起電圧が起こらず、ＩＣカード側アンテナ１２が駆動できない。
【００５７】
すなわち、ＩＣカード側アンテナ１２の内側端が、リーダ／ライタ側の磁性シート１１３より１ｍｍ以上外側にある場合は、その領域においては、殆ど、磁束の鎖交が得られない。なぜならば、図１１の領域（１）から分かるとおり、ＩＣカード側アンテナ１２の中心の貫通孔内を、＋１００％の磁束と−９０％の磁束とが貫くため、そのほとんどがお互いに打ち消しあってしまうからである。
【００５８】
従って、本願発明において、リーダ／ライタ側の磁性シート３のサイズは、ＩＣカード側アンテナ１２のアンテナコイルの内端の幅よりも２ｍｍ（左右それぞれ１ｍｍずつ）以上大きいことが望ましい。例えば、長方形の形状をしたＩＣカード側アンテナ１２の内端のサイズが２０ｍｍ×３０ｍｍである場合、リーダ／ライタ側の磁性シート３の幅は少なくとも２２ｍｍ以上であることが好ましい。更に、３２ｍｍ以上であると、より好ましい。また、リーダ／ライタ側の磁性シート３の外端幅は、大きいＩＣカード側アンテナ１２の内端サイズ（例えば短辺長さ３１ｍｍとする）から、小さくとも３３ｍｍ×３３ｍｍ以上でなくてはならない。
【００５９】
なお、本願発明のアンテナ１の外寸は、磁性シート３以下でなくてはならない。すなわち、本願発明のアンテナ１全体が、磁性シート３の上におさまって載置されている。
【００６０】
図１１の領域（２）から、従来のリーダ／ライタ側アンテナ１１上（表面）では、およそ磁性シート１１３から外側に１２ｍｍ（左右それぞれの外側に６ｍｍずつ）の領域にて、発生磁束の約９５％は相殺される。すなわち、横軸２４から６ｍｍ外側の横軸３０において、図１１では−９５％を示している。
【００６１】
図１１の領域（３）から、従来のリーダ／ライタ側アンテナ１１上（表面）では、従来のリーダ／ライタ側アンテナ１１の内端（横軸２０）から内側に約３ｍｍ地点から従来のリーダ／ライタ側アンテナ１１の巻線のほぼ中心位置（磁界の極性の反転地点）までの間に発生磁束の約７０％が集中している。従来のリーダ／ライタ側アンテナ１１の内端とは、コイルの中空部の端部であり、図１１の横軸２０の点である。従って、横軸２０から３ｍｍ内側の横軸１７において、図１１では７０％を示している。
【００６２】
すなわち、ＩＣカード側アンテナ１２の短辺側の外側が、従来のリーダ／ライタ側アンテナ１１の単純な矩形アンテナコイルの内端の３ｍｍ以内にある場合は、図１１の領域（３）に集中する磁束を、ＩＣカード側アンテナ１２が従来のリーダ／ライタ側アンテナ１１より受け取る。そのため、従来のリーダ／ライタ側アンテナ１１の発生する磁束の３０％以上の磁束と鎖交してしまい、良好な通信特性を取ることが難しい。すなわち、従来のリーダ／ライタ側アンテナ１１が、単純な矩形形状である場合は、ＩＣカード側アンテナ１２の形状変化に対応することが困難である。
【００６３】
しかしながら、アンテナコイルを大きくしすぎた場合、結合係数が小さくなりすぎる為、本願発明では、アンテナコイル２のＡ部の長さを制御することによって、アンテナ大に対して適切な結合係数を得るようにしている。従って、ＩＣカード側アンテナ１２の短辺側の外側は、本願発明のアンテナ１のアンテナコイル２の内端の３ｍｍ以内にあっても良い。この場合、本願発明のアンテナ１の内端は、ＩＣカード側アンテナ１２がアンテナ大の場合の外端最小幅（例えば４０〜４５ｍｍ程度）に６ｍｍ（左右３ｍｍずつ）を加えた幅より小さくすることが可能である。すなわち、本願発明のアンテナ１の内端は、４６〜５１ｍｍ以下であっても良い。
【００６４】
図１１の領域（４）から、従来のリーダ／ライタ側アンテナ１１上（表面）では、従来のリーダ／ライタ側アンテナ１１の内端（横軸２０）から内側に約５ｍｍまでに発生磁束の約８０％が集中している。すなわち、横軸２０から５ｍｍ内側の横軸１５において、図１１では８０％を示している。
【００６５】
また、磁界の極性の反転は、従来のリーダ／ライタ側アンテナ１１の巻線のほぼ中心位置で発生する。すなわち、従来のリーダ／ライタ側アンテナ１１の巻線はだいたい横軸１９から横軸２２の位置であり、磁界の極性の反転は、横軸２０と横軸２１との間で発生している。
【００６６】
従来のリーダ／ライタ側アンテナ１１から５ｍｍ離れた位置でも、正方向の磁界が負方向の磁界に反転する位置は、リーダ／ライタ側アンテナ表面上における正方向の磁界が負方向の磁界に反転する位置とほぼ同じ位置（横軸２０と横軸２１との間）である。
【００６７】
また、前述したように、ＩＣカード側アンテナ１２の開口面積が大きい場合を前提とすると、アンテナ間の結合係数は０．０８〜０．３２であることが好ましい。そして、従来のリーダ／ライタ側アンテナ１１が発生させる磁束は、従来のリーダ／ライタ側アンテナ１１の内端（横軸２０）からその内側に約３ｍｍまでの領域（図１１の領域（３））に発生磁束の約７０％が集中している。
【００６８】
この結果、図１１の領域（３）においてアンテナの少なくとも一部どうしが平行に対向した場合、アンテナ間の結合係数を０．０８〜０．３２とするためには、本願発明のアンテナ１とＩＣカード側アンテナ１２が平行に対向している部分の本願発明のアンテナ１の導線の長さが、リーダ／ライタ側のアンテナの平均開口（アンテナの外端と内端の間の中心）の外周の長さの約８％〜４６％となるようにしなくてはならない。なぜならば、結合係数を少なくとも０．０８得るためには、本願発明のアンテナ１が発生させる磁束の１００％を受け取ることのできる領域にて、本願発明のアンテナ１とＩＣカード側アンテナ１２とが本願発明のアンテナ１の平均開口の外周の長さの８％以上重なることが必要だからである。また、結合係数を０．３２以下に抑えるためには、本願発明のアンテナ１が発生させる磁束の７０％を受け取ることのできる領域にて、本願発明のアンテナ１とＩＣカード側アンテナ１２とが本願発明のアンテナ１の平均開口の外周の長さの４６％（０．３２／０．７）以下でなくてはならない。この結果、本発明のコイルアンテナ２は、長方形や正方形ではなく、十字架のような形をし、アンテナ間が位置ずれしてもしなくても、前述した範囲の中でアンテナどうしが重なるようにしている。
【００６９】
また、アンテナ間の位置合わせのズレにも対応しなくてはならない。ここで、ＩＣカード側アンテナ１１が大きい場合に、アンテナの中心どうしが１０ｍｍずれた場合について考える。
【００７０】
図１１の領域（３）の結果から、アンテナの中心どうしが１０ｍｍずれたときに、ＩＣカード側アンテナ１２の外端が、従来のリーダ／ライタ側アンテナ１１の内端よりも３ｍｍ以上内側に位置すると、あまり磁束を受け取ることができない。アンテナ大の短辺側外端サイズを４０〜４５ｍｍとするため、アンテナの中心どうしが１０ｍｍずれたときには、ＩＣカード側の外端は図１０〜図１３の横軸で言えば１０〜１２．５に位置する。そして、従って、このとき、ＩＣカード側アンテナ１２の外端と本願発明のアンテナ１の内端との距離が３ｍｍ以下でなくてはならないため、（１０〜１２．５＋３）×２＝２６〜３１ｍｍ以下でなくてはならない。従って、図１の一対の内側部（Ｂ部とＢ´部）間距離は、３１ｍｍ以下であり、本実施の形態においては２８ｍｍである。
【００７１】
図１の内側部（例えばＢ部）の長さは、本願発明のアンテナ１の平均開口の外周の長さの、前述したように、８％〜４６％の半分である。これは、図１では内側部が最外部を挟んだ両脇に２つに分かれているためである。
【００７２】
また、図１に示すように、内側部であるＢ部は、他の内側部であるＢ２部と直線状で接触せずに並んでいる。これにより、アンテナ大が位置ずれした場合はＢ部とＢ２部と結合しやすくなり、アンテナ小が位置ずれした場合はいずれか一方と結合しやすくなる。また、アンテナ小が位置ずれしない場合も、Ｂ部とＢ２部との間が接触せず離れているため、アンテナ間の接合係数を抑えることができる。このように、アンテナのサイズ、位置ずれに対応しやすく構成されている。
【００７３】
また、ＩＣカード側アンテナ１２が小さい場合においては、アンテナの中心どうしが５ｍｍずれた場合について考える。ＩＣカード側アンテナ１２がアンテナ小の場合、アンテナの結合係数が、約０．０５〜０．２１であることが好ましいのは、前述したとおりである。
【００７４】
図１１の領域（４）から、従来のリーダ／ライタ側アンテナ１１の内端から内側に５ｍｍ以上の領域には、従来のリーダ／ライタ側アンテナ１１の発生させる磁束の約２０％が存在する。すなわち、この領域（以下、２０％領域とする）内であれば、結合係数が０．２１を越えることはない。
【００７５】
ＩＣカード側アンテナ１２がアンテナ小の場合は、位置合わせが正常である場合、主として２０％領域から発生する磁束によって、誘起電圧を発生させる。この結果、良好な特性を得ることができる。しかし、位置がずれた場合は、２０％領域から発生する磁束の一部と、その外周の８０％の磁束によって、誘起電圧を発生させる。
【００７６】
位置がずれた場合も、結合係数が、０．２１を超えないようにするために、以下の条件が必要となる。
【００７７】
アンテナ小に、５ｍｍの位置ずれがある場合を想定する。２０％領域とアンテナ小の領域の重なる部分を、アンテナ小の領域で除した値をＲ１とする。２０％領域においてＩＣカード側アンテナ１２を貫く磁束は、０．２１×Ｒ１である。そして、（１−Ｒ１）の領域における磁束が、０．２１×（１−Ｒ１）よりも小さければ、所望の結合係数を得ることができる。
【００７８】
（１−Ｒ１）の領域においては、アンテナ小のＩＣカード側アンテナ１２と重なるのは図１のＢ部（内側部）である。すなわち、０．２１×（１−Ｒ１）／０．８が（Ｃ部の長さ）／リーダ／ライタ側アンテナの平均外周よりも大きくなければならないため、以下のようになる。アンテナ小のサイズが、２５ｍｍ×２０ｍｍであるとし、アンテナコイル２のＢ、Ｂ’部の一部で、アンテナコイル２の中心から１７．５ｍｍはなれた地点（図１）から内側に伸びるアンテナコイル２の長さをＣ部とする。Ｃ部長さ＝０．２１×（１−Ｒ１）／２／０．８×リーダ／ライタ側アンテナの平均外周で求められる値以下でなくてはならない。従って、図１の本願発明のアンテナ１の寸法の場合は、Ｃ部の長さ＝５．０７ｍｍとなる。
【００７９】
次に、これまでの条件を満たす図１の本願発明のアンテナ１と、従来の矩形のアンテナとの通信特性の違いについて説明する。
【００８０】
図１４は、本願発明のアンテナの通信特性を示す図である。図１５は、従来のアンテナの通信特性を示す図である。
【００８１】
図１４、図１５において、上段はリーダ／ライタ装置上０ｍｍにおける、通信良好領域を塗りつぶして表している。このとき、直径１０ｍｍ範囲で通信が良好であることが求められる。下段はリーダ／ライタ装置上５ｍｍにおける、通信良好領域を塗りつぶして表している。このとき、直径２０ｍｍ範囲で通信が良好であることが求められる。図１４、図１５の左側２つの結果が、ＩＣカード側アンテナ１２がアンテナ大であった場合を示す。中央２つの結果が、ＩＣカード側アンテナ１２がアンテナ中であった場合を示す。右側２つの結果が、ＩＣカード側アンテナ１２がアンテナ小であった場合を示す。
【００８２】
図１４、図１５から明らかな通り、本願発明のアンテナ１を用いると、従来のリーダ／ライタ側アンテナ１１では読み取りが出来ない場合があるアンテナが互いに近い位置にある場合の中央位置においても、安定した読み取りが可能となることが分かる。このように、アンテナのサイズに依らず、様々なサイズと良好な通信ができる。
【００８３】
次に、図１の本願発明のアンテナ１とは異なる形状のアンテナについて説明する。図１６は、本願発明のアンテナの他の形状を示す上面模式図である。このように、本願発明のアンテナは、図１の形状に限られるわけではなく、前述した条件を満たすものであれば良い。
【００８４】
図１６では、最外部はＣ１部とＣ２部であり、このとき、最外部の長さとは、Ｃ１部とＣ２部の長さの和である。すなわち、Ｃ１部とＣ２部とはそれぞれの延長線上にそれぞれが位置するため、その長さの和を最外部の長さとする。一方、内側部はＤ部である。内側部の場合、図１において延長線上に２つの内側部Ｂ部とＢ１部が位置するが、内側部の長さとして２つの内側部Ｂ部とＢ１部の長さを足したものとはしない。なお、側部Ｂ部とＢ１部の長さを足した結果、図１のＡ部の長さを越えても良いが、越えないことが好ましい。
【００８５】
本実施の形態に係る通信システムは、リーダライタと非接触ＩＣカード等の非接触通信装置との間で非接触通信を行う。非接触通信は、ＲＦＩＤ（Ｒａｄｉｏ  Ｆｒｅｑｕｅｎｃｙ  ＩＤｅｎｔｉｆｉｃａｔｉｏｎ）、特に所定周波数（例えば、１３．５６ＭＨｚ、４．９１５ＭＨｚ）の高周波磁界を媒体として用いた近距離無線通信（Ｎｅａｒ  Ｆｉｅｌｄ  Ｃｏｍｍｕｎｉｃａｔｉｏｎ：ＮＦＣ）である。
【００８６】
リーダライタは、非接触ＩＣカードと非接触通信することで、非接触ＩＣカードからデータを読み出したり、非接触ＩＣカードにデータを書き込んだりするための装置である。かかるリーダライタは、非接触ＩＣカードと非接触通信するためのアンテナと、アンテナに接続された制御基板とを備える。
【００８７】
また非接触ＩＣカードは、ユーザが携帯可能な大きさを有するカード型の非接触通信装置である。非接触ＩＣカードは、薄型のカード外装内に、リーダライタと非接触通信するためのアンテナと、所定の演算処理を実行可能な集積回路（ＩＣ）が搭載されたＩＣチップとを備えている。
【００８８】
非接触ＩＣカードとリーダライタとの間で、電磁波を用いて非接触通信することが可能である。すなわち、非接触ＩＣカードを、リーダライタの通信可能範囲内（リーダライタが発する電磁波の有効範囲内）に位置づけると、リーダライタは非接触ＩＣカード内のデータを読み書きすることができる。
【００８９】
上記リーダライタと非接触ＩＣカードとの間で行われる非接触通信は、例えば数ｃｍ〜５ｃｍ程度の近接無線通信である。なお、これまで説明したのは、ＩＣカード側アンテナ１２が長方形である場合において、異なるサイズのいずれにも対応できるアンテナ１についてであるが、これに限られるわけではない。すなわち、本願発明と同様の考え方で、異なる形状のＩＣカード側アンテナ１２に対応することも可能である。例えば丸型と長方形のＩＣカード側アンテナ１２双方に対応する場合、丸型と対応する最外部と、長方形と対応する内側部を備えると良い。すなわち、本願発明によれば、異なるサイズのアンテナや異なる形状のアンテナのＩＣカード側アンテナ１２に対応することができる。
【産業上の利用可能性】
【００９０】
本発明によれば通信相手のアンテナサイズに依らず安定した通信が可能であるため、携帯電話などの様々な電子機器のアンテナ、アンテナ装置および通信装置として有用である。また、特に自動で商品管理、書籍管理などが可能となる収納棚、展示棚以外の医薬品管理、危険物管理、貴重品管理システムなどの用途にも適用できる。
【符号の説明】
【００９１】
１  本願発明のアンテナ
２  アンテナコイル
３  磁性シート
１１  従来のリーダ／ライタ側アンテナ
１２  ＩＣカード側アンテナ
【図２】
2015005941.tif 000003
【図３】
2015005941.tif 000004
【図６】
2015005941.tif 000005
【図１】
2015005941.tif 000006
【図４】
2015005941.tif 000007
【図５】
2015005941.tif 000008
【図７】
2015005941.tif 000009
【図８】
2015005941.tif 000010
【図９】
2015005941.tif 000011
【図１０】
2015005941.tif 000012
【図１１】
2015005941.tif 000013
【図１２】
2015005941.tif 000014
【図１３】
2015005941.tif 000015
【図１４】
2015005941.tif 000016
【図１５】
2015005941.tif 000017
【図１６】
2015005941.tif 000018